(57)【要約】      （修正有）【課題】蓋に設けられた第２嵌合部を筒状部材に嵌め込むことによって、水槽が密閉され、汚水等による臭いが水槽外に漏れることを効果的に抑制できる蓋ユニットを提供する。【解決手段】下水道管よりも低い位置にあるピット内に配置されている筒状の水槽の蓋ユニットであって、第１端部及び第２端部を有する筒本体と、前記筒本体の前記第１端部に設けられ、水槽本体の開口端部に嵌合される嵌合部とを有する筒状部材と、略円盤状の蓋本体と、前記蓋本体の取付面に設けられた前記蓋本体よりも小径の第２嵌合部でありかつ前記筒状部材の前記第２端部に内側から嵌合する第２嵌合部とを有する蓋により、臭いを水槽外に漏れることを効果的に抑制できる。【選択図】図４
2018066122.tif 000002
【特許請求の範囲】
【請求項１】
下水道管よりも低い位置にあるピット内に配置されている筒状の水槽の蓋ユニットであって、
第１端部及び第２端部を有する筒本体と、前記筒本体の前記第１端部に設けられ、水槽本体の開口端部に嵌合される第１嵌合部とを有する筒状部材と、
略円盤状の蓋本体と、前記蓋本体の取付面に設けられた前記蓋本体よりも小径の第２嵌合部であり、前記筒状部材の前記第２端部に嵌合される第２嵌合部とを有する蓋と、
を備える蓋ユニット。
【請求項２】
請求項１に記載の蓋ユニットにおいて、
前記第２嵌合部は、前記筒状部材の前記第２端部に遊嵌している、蓋ユニット。
【請求項３】
請求項１又は２に記載の蓋ユニットにおいて、
前記蓋は、前記蓋本体の取付面と反対側の面に設けられた取っ手を更に備える、蓋ユニット。
【請求項４】
請求項１乃至３の何れかに記載の蓋ユニットにおいて、
前記蓋及び前記筒本体の前記第２端部の少なくとも一方に設けられ、前記蓋と前記筒状部材との間を密閉する第１密閉部材を更に備える、蓋ユニット。
【請求項５】
請求項４に記載の蓋ユニットにおいて、
前記第１密閉部材は、前記蓋本体の前記取付面において前記第２嵌合部の外側に設けられている、蓋ユニット。
【請求項６】
請求項１乃至５の何れかに記載の蓋ユニットにおいて、
前記筒状部材と前記水槽本体との間を密閉する第２密閉部材を更に備え、
前記筒状部材の前記嵌合部と前記水槽本体の開口端とは、前記第２密閉部材を挟んだ状態で、締結部材で固定されている、蓋ユニット。
【請求項７】
請求項６に記載の蓋ユニットにおいて、
前記締結部材は、ボルトとナットを有する、蓋ユニット。
【請求項８】
請求項１乃至７の何れかに記載の蓋ユニットにおいて、
前記筒状部材の前記第１嵌合部は、前記水槽本体の前記開口端部に内側から嵌合している、蓋ユニット。
【請求項９】
請求項１乃至８の何れかに記載の蓋ユニットにおいて、
前記筒状部材に、配管を通すための第１穴が設けられている、蓋ユニット。
【請求項１０】
請求項１乃至９の何れかに記載の蓋ユニットにおいて、
前記筒状部材に、電気ケーブルを通すための第２穴が設けられている、蓋ユニット。
【請求項１１】
下水道管よりも低い位置にあるピット内に配置されている筒状の水槽であって、
水槽本体と、
請求項１乃至１０の何れかに記載の蓋ユニットと、
を備える水槽。
【請求項１２】
悪臭防止型排水設備であって、
下水道管よりも低い位置にあるピット内に配置されている筒状の水槽を備え、
前記水槽は、
水槽本体と、
請求項１乃至１０の何れかに記載の蓋ユニットと、
を備える悪臭防止型排水設備。
【請求項１３】
請求項１２に記載の悪臭防止型排水設備に配置されるポンプであって、前記ポンプが、少なくとも１つの前記水槽内に設置される、ポンプ。
【発明の詳細な説明】
【技術分野】
【０００１】
本発明は、下水道管よりも低い位置に設置されたピット内に収容される蓋ユニット、蓋ユニットを備える水槽、悪臭防止型排水設備、及びポンプに関する。
【背景技術】
【０００２】
地下構造を備える建築物においては、特許文献２に示す様に公共下水道管よりも低い位置で汚水や雑排水が生じることがある。公共下水道管よりも低い位置で生じた汚水等は、地下に設置された大きな排水槽（ピット）に一時貯留される。その後、汚水等は排水槽内に設置された排水用のポンプにより公共下水道管に排水される。また、ポンプ稼働後の汚水の残留量を減少させる目的で、ピット内に小面積の水槽（バレル）を配置する場合がある。
【０００３】
図７は、関連技術に係る水槽の側面図である。図８は、関連技術に係る水槽の平面図である。これらの図において、一方の水槽１０には、流入管１０１の一端が上方から水槽１０の内部空間に挿入され、流入配管１０１から水槽１０に汚水等を受け入れるようになっている。一方の水槽１０は、連通管３０を介して他方の水槽１０に流体的に接続されており、一方の水槽１０から汚水等が他方の水槽１０に導入される。他方の水槽１０の内部空間には、ポンプ２０が配置されており、ポンプ２０は吐出口２１が接続管２２を介して吐出配管１０２に接続されている。他方の水槽１０に貯まった汚水槽は、ポンプ２０によって吐出配管１０２を通じて公共下水道管に排水される。
【０００４】
関連技術に係る水槽１０は、図７に示すように、密閉構造になっていないため、臭気を完全に防ぐことはできない。また、ポンプ２０のケーシングにはエア抜き穴（図示せず）が開いており、ポンプ２０の起動時にはエア抜き穴から排水が勢いよく吐出し、水槽１０の外に漏れる場合もある。
【０００５】
特許文献１には、地中に埋設される汚水中継槽Ｍに嵩上リングＲ１、Ｒ２を設け、嵩上リングＲ１に吐出口１２を設けた構成が記載されている。また、嵩上リングＲ２にマンホールリング２６を介してマンホール蓋２７を配置している。
【先行技術文献】
【特許文献】
【０００６】
【特許文献１】特許第２６９４２０３号明細書
【特許文献２】特許４４５５７４２号明細書
【発明の概要】
【発明が解決しようとする課題】
【０００７】
特許文献１の構成では、中継槽本体１、嵩上リングＲ１、Ｒ２、マンホールリング２６、及び、マンホール蓋２７の間が密閉されていないため、十分に臭気を防ぐことができない。また、マンホールリング２６を介してマンホール蓋２７を取り付ける必要があり、マンホール蓋２７の取り付け、取り外しに特別な工具を要する。また、嵩上リングＲ１、Ｒ２は、それぞれ、中継槽本体１及び嵩上リングＲ１の外側面に嵌合する構成であるため、外嵌部が外側に膨らんでしまう。
【０００８】
本発明の目的は、上述した少なくとも一部の課題を解決することにある。
【課題を解決するための手段】
【０００９】
［形態１］  形態１によれば、下水道管よりも低い位置にあるピット内に配置されている筒状の水槽の蓋ユニットが提供され、蓋ユニットは、筒状部材と蓋とを備えている。筒状部材は、第１端部及び第２端部を有する筒本体と、前記筒本体の前記第１端部に設けられ、水槽本体の開口端部に嵌合される第１嵌合部とを有する。蓋は、略円盤状の蓋本体と、前記蓋本体の取付面に設けられた前記蓋本体よりも小径の第２嵌合部であり、前記筒状部材の前記第２端部に嵌合される第２嵌合部とを有する。
【００１０】
形態１によれば、蓋に設けられた第２嵌合部を筒状部材に嵌め込むことによって、蓋が筒状部材に取り付けられるので、蓋と筒状部材との間に配置するリングや、蓋を保持するための特別な工具を必要としない。よって、蓋の取り付けが容易である。
また、筒状部材が水槽本体に嵌合し、かつ、蓋を筒状部材に嵌め込む構成であるので、水槽が密閉され、汚水等による臭いが水槽外に漏れることを効果的に抑制することができる。
また、水槽内にポンプが配置される場合において、ポンプの起動時に、エア抜き穴から排水が勢いよく吐出したとしても、排水が水槽外に漏れることを抑制ないし防止することができる。
また、筒状部材によって水槽の高さが実質的に延長されるので、筒状部材の上端の位置がピットの開口部（マンホール穴）により近くなり、マンホール穴からの作業が容易になる。
また、筒状部材を水槽本体に嵌合させる構成であるので、既にピット内に設置済みの水槽（筒状部材、蓋を持たないもの）に、蓋ユニットを取り付けることが可能である。従って、既存の水槽に対する臭気対策等にも有効である。
また、内部点検時には、蓋を取り外して、水槽内部を目視することができる。
【００１１】
［形態２］  形態１に記載の蓋ユニットにおいて、  前記第２嵌合部は、前記筒状部材の前記第２端部に遊嵌している。
【００１２】
形態２によれば、第２嵌合部を筒状部材に遊嵌させるので、蓋の取り付け及び取り外しが容易である。
【００１３】
［形態３］  形態３によれば、形態１又は２の蓋ユニットにおいて、前記蓋は、前記蓋本体の取付面と反対側の面に設けられた取っ手を更に備える。
【００１４】
形態３によれば、蓋の保持および取り付けが更に容易になる。
【００１５】
［形態４］  形態４によれば、形態１乃至３の何れかの蓋ユニットにおいて、  前記蓋及び前記筒本体の前記第２端部の少なくとも一方に設けられ、前記蓋と前記筒状部材との間を密閉する第１密閉部材を更に備える。
【００１６】
形態４によれば、蓋と筒状部材との間の密閉が更に向上し、汚水等の臭いや、ポンプのエア抜き穴からの排水が水槽外に漏れることをより抑制することができる。
【００１７】
［形態５］  形態５によれば、形態４の蓋ユニットにおいて、前記第１密閉部材は、前記蓋本体の前記取付面において前記第２嵌合部の外側に設けられており、  前記第２嵌合部は、前記筒状部材の前記第２端部に遊嵌している。
【００１８】
形態５によれば、蓋本体の第２嵌合部の外側で取付面に第２密閉部材を設けているので、第２嵌合部を筒状部材に遊嵌させても、蓋と筒状部材との密閉性を低下することを抑制ないし防止できる。
【００１９】
［形態６］  形態６によれば、形態１乃至５の蓋ユニットにおいて、  前記筒状部材と前記水槽本体との間を密閉する第２密閉部材を更に備え、  前記筒状部材の前記嵌合部と前記水槽本体の開口端とは、前記第２密閉部材を挟んだ状態で、締結部材で固定されている。
【００２０】
形態６によれば、筒状部材と水槽本体との間に第２密閉部材が挟まれ、更に、筒状部材と水槽本体とが締結部材で固定されているので、筒状部材と水槽本体との間の密閉を更に向上させることができる。
【００２１】
［形態７］  形態６によれば、形態６の蓋ユニットにおいて、前記締結部材は、ボルトとナットを有する。
【００２２】
形態６によれば、ボルトとナットとによって、筒状部材と水槽本体とを簡易かつ強固に固定することができる。また、筒状部材の取り付け、取り外しが容易である。
【００２３】
［形態８］  形態８によれば、形態１乃至７の何れかの蓋ユニットにおいて、前記筒状部材の前記第１嵌合部は、前記水槽本体の前記開口端部に内側から嵌合している。
【００２４】
形態８によれば、筒状部材が水槽本体に内側から嵌合するので、筒状部材が外側から嵌合する場合と比較して、筒状部材が嵌合する部分で膨らむことを防止できる。従って、筒状部材の最大径が水槽本体の径よりも大きくなることを防止できる。ピットのマンホール穴を通すように設計された水槽本体よりも径が大きい部分が生じることを防止できる。
【００２５】
［形態９］  形態９によれば、形態１乃至８の何れかの蓋ユニットにおいて、前記筒状部材に、配管を通すための第１穴が設けられている。
【００２６】
形態８によれば、筒状部材を任意の回転方向の位置で水槽本体に対して取り付けることができ、配管を接続するための配管穴の方向を変えることができる。よって、水槽の向きを変えることなく、流入配管や吐出配管の位置に合わせて、配管穴の方向を変えることができる。また、配管穴を水槽本体に設ける場合と比較して、配管穴の位置がピットのマンホール穴に近づくため、マンホール穴から配管へのアクセスが容易になる。
また、筒状部材に取り付けられる配管類は分解された状態で、ピット内に搬入し、ピット内で組み立てることができる。
【００２７】
［形態１０］  形態１０によれば、形態１乃至９の何れかの蓋ユニットにおいて、前記筒状部材に、電気ケーブルを通すための第２穴が設けられている。
【００２８】
形態１０によれば、筒状部材を任意の回転方向の位置で水槽本体に対して取り付けることができ、電気ケーブルを接続するための配線穴の方向を変えることができる。電気ケーブルをより短い長さで水槽内に引き込むことが可能になる。また、配線穴を水槽本体に設ける場合に比較して、配線穴の位置がピットのマンホール穴に近づくため、マンホール穴から電気ケーブルへのアクセスが容易になる。
【００２９】
［形態１１］  形態１１によれば、下水道管よりも低い位置にあるピット内に配置されている筒状の水槽が提供され、水槽は、水槽本体と、請求項１乃至１０の何れかに記載の蓋ユニットと、を備える。
【００３０】
形態１１によれば、形態１〜１０で上述した作用効果を有する水槽を提供することができる。
【００３１】
［形態１２］  形態１２によれば、悪臭防止型排水設備が提供され、悪臭防止型排水設備は、下水道管よりも低い位置にあるピット内に配置されている筒状の水槽を備え、  前記水槽は、  水槽本体と、  形態１乃至１０の蓋ユニットと、を備える。
【００３２】
形態１２によれば、形態１乃至１０の蓋ユニットによる作用効果を奏し、悪臭を効果的に抑制できる悪臭防止型排水設備を提供することができる。形態１の蓋ユニットを備える場合の作用効果は、以下の通りである。
水槽の蓋に設けられた第２嵌合部を筒状部材に嵌め込むことによって、蓋が筒状部材に取り付けられるので、蓋と筒状部材との間に配置するリングや、蓋を保持するための特別な工具を必要としない。よって、蓋の取り付けが容易である。
また、筒状部材が水槽本体に嵌合し、かつ、蓋を筒状部材に嵌め込む構成であるので、水槽が密閉され、汚水等による臭いが水槽外に漏れることを効果的に抑制することができる。
また、水槽内にポンプが配置される場合において、ポンプの起動時に、エア抜き穴から排水が勢いよく吐出したとしても、排水が水槽外に漏れることを抑制ないし防止することができる。
また、筒状部材によって水槽の高さが実質的に延長されるので、筒状部材の上端の位置がピットの開口部（マンホール穴）により近くなり、マンホール穴からの作業が容易になる。
また、筒状部材を水槽本体に嵌合させる構成であるので、既にピット内に設置済みの水槽（筒状部材、蓋を持たないもの）に、蓋ユニットを取り付けることが可能である。従って、既存の水槽に対する臭気対策等にも有効である。
また、内部点検時には、蓋を取り外して、水槽内部を目視することができる。
形態２〜１０の蓋ユニットを備える場合の作用効果についても、上述した通りである。
【００３３】
［形態１３］  形態１３によれば、形態１２の悪臭防止型排水設備に配置されるポンプが提供され、ポンプは、少なくとも１つの前記水槽内に設置される。
【００３４】
形態１３によれば、形態１２の作用効果（形態１乃至１０で述べた作用効果）を奏する悪臭防止型排水設備の水槽に設置されるポンプを提供し、下水道管よりも低い位置にあるピット内に配置されている水槽に貯めた汚水等を、ポンプによって下水道管まで送ることができる。また、上記蓋ユニットを備える水槽によって、ポンプの起動時に、エア抜き穴から排水が勢いよく吐出したとしても、排水が水槽外に漏れることを抑制ないし防止することができる。
【図面の簡単な説明】
【００３５】
【図１】一実施形態による水槽の概略図である。
【図２】一実施形態による水槽の側面図である。
【図３】一実施形態による水槽の平面図である。
【図４】一実施形態による水槽の分解斜視図である。
【図５】一実施形態による蓋ユニットの水槽本体への取付構造を示す、水槽の一部拡大断面図である。
【図６】一実施形態による蓋ユニットの水槽本体への取付構造の変形例を示す、水槽の一部拡大断面図である。
【図７】関連技術に係る水槽の側面図である。
【図８】関連技術に係る水槽の平面図である。
【発明を実施するための形態】
【００３６】
以下に、本発明に係る水槽の実施形態を添付図面とともに説明する。添付図面において、同一または類似の要素には同一または類似の参照符号が付され、各実施形態の説明にお
いて同一または類似の要素に関する重複する説明は省略することがある。また、各実施形態で示される特徴は、互いに矛盾しない限り他の実施形態にも適用可能である
【００３７】
図１は、一実施形態による水槽１０の概略図である。図１は、水槽１０がビルのような建築物１００の地階部分Ｂの排水設備（悪臭防止型排水設備）に利用される形態を示している。図１に示されるように、水槽１０は、建築物（たとえばビル）１００の地階部分Ｂの下側に設置された排水槽であるピットＰｉ内に設けられる。水槽１０は、例えば、略円筒状または略楕円筒状のバレルである。ピットＰｉには、開口部（マンホール）１０２が形成されており、開口部１０２にはマンホール蓋１０３が取り付けられる。図１は、ピットＰｉ内に２つの水槽１０が配置されている例を示す。なお、ピットＰｉ内に１つの水槽が配置される場合もあり、３つ以上の水槽が配置される場合もある。図１の例では、２つの水槽１０は、互いに連通管３０で接続されており、そのうち１つの水槽１０が地階部分Ｂからの汚水を受け入れるための流入管１０１に接続されており、他の１つの水槽１０が、吐出配管１０４に接続されており、その水槽１０内にポンプ２０が設置されている。ポンプ２０は、水中でも運転可能な水中ポンプである。汚水は、ポンプ２０によって汚水ます９１に汲み上げられ、汚水ます９３を介して公共下水道管８０に排水される。
【００３８】
図２は、一実施形態による水槽の側面図である。図３は、一実施形態による水槽の平面図である。図４は、一実施形態による水槽の分解斜視図である。図５は、一実施形態による蓋ユニットの水槽本体への取付構造を示す、水槽の一部拡大断面図である。図６は、一実施形態による蓋ユニットの水槽本体への取付構造の変形例を示す、水槽の一部拡大断面図である。なお、以下の説明では、便宜上、吐出配管１０４が接続される水槽１０をメインバレル、流入配管１０１が接続される水槽１０１０を補助バレルと称する場合がある。
【００３９】
水槽１０は、水槽本体１１と、蓋ユニット１２とを備えている。水槽本体１１は、略円筒状又は略楕円状であり、底壁１０ａと、側壁１０ｂとによって画成された内部空間を有する。水槽本体１１の上部は、開口している。水槽本体１１の底壁１０ａは、ボルト、ナット等の締結部材でバレル台６０に固定されている。バレル台６０は、ボルト等の締結手段によってピットＰｉの床面１０５に固定されている。水槽本体１１は、例えば、ＦＲＰ（繊維強化プラスチック）等の樹脂、金属等で形成されている。
【００４０】
蓋ユニット１２は、筒状部材１２０と、蓋１２２とを備えている。
筒状部材１２０は、水槽本体１１と同様に、ＦＲＰ（繊維強化プラスチック）等の樹脂、金属等で形成されている。筒状部材１２０は、筒本体１２０ａと、第１嵌合部１２０ｂとを備えている。筒本体１２０ａは、水槽本体１１と略同一の外径及び内径を有する筒状であり、嵩上げリングとして機能する。第１嵌合部１２０ｂは、筒本体１２０ａの下端に一体に形成されているか、別体で設けられた後に筒本体１２０ａの下端に固定されている。第１嵌合部１２０ｂは、筒本体１２０ａよりも小径である。第１嵌合部１２０ｂの外径は、例えば、筒本体１２０ａの内径と略一致する（図５）。なお、第１嵌合部１２０ｂの外周面に、パッキン（密閉部材）１２０ｃを取り付ける場合には、図６に示すように、第１嵌合部１２０ｂの外径を筒本体１２０ａの内径よりも小さく形成してもよい。
【００４１】
図５に示すように、筒状部材１２０の第１嵌合部１２０ｂは、水槽本体１１の開口端に内側から嵌合（内嵌）する。これにより、筒状部材１２０と水槽本体１１との間が密閉される。
【００４２】
図６の例では、更に、第１嵌合部１２０ｂと水槽本体１１の開口端との間にパッキン１２０ｃを挟んだ状態で、第１嵌合部１２０ｂと水槽本体１１の開口端とをボルト６１とナット６２とで締結する。これにより、筒状部材１２０と水槽本体１１との間が密閉を更に向上させることができる。この場合、筒状部材１２０の第１嵌合部１２０ｂ及び水槽本体
１１の側壁１１ｂには、ボルト６１を通すための貫通孔（図示せず）が設けられる。ボルト６１による固定位置は、第１嵌合部１２０ｂの周方向の複数の位置とすることができる。パッキン１２０ｃは、筒状部材１２０の第１嵌合部１２０ｂの外周面に取り付けておくことが好ましい。
【００４３】
図２及び図４に示すように、筒本体１２０ａの側面には、配管穴１２１ａ及び配線穴１２１ｂが形成されている。流入配管１０１が接続される水槽（補助バレル）１０１０および吐出配管１０４が接続される水槽（メインバレル）１０には、共通の蓋ユニット１２が取り付けられる。図２及び図４では、水槽（補助バレル）１０１０は、１個の場合を想定して流入管１０１を説明したが、水槽（補助バレル）１０１０が複数個ある場合には、流入管１０１は、最終段にのみ存在し、他の補助バレル１０１０には設置しない。例えば、水槽（メインバレル）１０が１つ、水槽（補助バレル）１０１０が４つの場合には、最終段の水槽（補助バレル）１０１０のみに流入管１０１が存在し、他の水槽（メインバレル）１０と最終段の水槽（補助バレル）１０１０の間の３つの補助バレルには、流入管１０１は無い。水槽（補助バレル）１０１０が複数個になっても各水槽間は、連通管３０で接続するのは図２〜図４に示す通りである。また、複数の水槽（メインバレル）１０を連通管３０で接続し設置してもよい。筒状部材１２０には、同一形状、同一数の穴（配管穴及び配線穴）が形成されており、必要な穴が使用され、使用しない穴は蓋等で閉じられる。例えば、補助バレル１０１０は、配管穴１２１ａを使用して流入配管１０１を接続するが、配線穴１２１ｂを使用しないので蓋等で閉じる。
【００４４】
蓋１２２は、蓋本体１２２ａと、第２嵌合部１２２ｂと、取っ手１２２ｃと、パッキン１２２ｄとを備えている。蓋本体１２２ａは、略円盤状の部材であり、筒状部材１２０と同様に、ＦＲＰ（繊維強化プラスチック）等の樹脂、金属等で形成されている。第２嵌合部１２２ｂは、蓋本体１２２ａよりも小径であり、筒状である。
【００４５】
第２嵌合部１２２ｂは、蓋本体１２２ａの筒状部材１２０への取り付け側の面である取付面に設けられている。第２嵌合部１２２ｂは、蓋本体１２２ａと一体に形成されるか、別体で設けられた後に蓋本体１２２ａに固定されている。第２嵌合部１２２ｂは、筒状部材１２０の筒本体１２０ａの内径よりも若干小さい外径を有し（図５）、筒本体１２０ａの上端部の内側に遊嵌するように構成されている。なお、第２嵌合部１２２ｂは、筒状部材１２０の筒本体１２０ａの内径に略一致する外径を有し、筒本体１２０ａの上端部の内側にきつく嵌合するようにしてもよい。
【００４６】
取っ手１２２ｃは、蓋本体１２２ａの取付面とは反対側の面に設けられ、作業者が掴む把持部として機能する。取っ手１２２ｃは、蓋本体１２２ａと一体に形成されるか、別体で設けられた後に蓋本体１２２ａに取り付けられている。取っ手１１２ｃによって、作業者による蓋１２２の取り扱いが容易になる。
【００４７】
パッキン１２２ｄは、蓋１２２と筒状部材１２０との間を密閉（シール）する密閉部材である。パッキン１２２ｄは、蓋本体１２２ａの取付面において第２嵌合部１２２ｂの外側に取り付けられている（図５）。パッキン１２０ｃ、１２２ｄは、樹脂製のＯリング、平板ゴム等である。パッキン１２２ｄは、第２嵌合部１２２ｂの外側において蓋本体１２２ａの取付面と筒本体１２０ａの上端面との間を密閉する。従って、第２嵌合部１２２ｂの外周面と、筒本体１２０ａの内周面との間に若干の隙間があっっても、パッキン１２２ｄによって、蓋１２２と筒状部材１２０との間を密閉することができる。これにより、第２嵌合部１２２ｂを筒本体１２０ａに遊嵌するように構成することができる。
【００４８】
図２及び図４に示すように、吐出配管１０４に接続される水槽（メインバレル）１０において、水槽本体１１内には、ポンプ２０、水位センサ４１、異常増水検知用のフロート
４２が設置されている。水位センサ４１は、筒状部材１２０の筒本体１２０ａの内周面に設けられたフック５４にかけられたチェーン５５によって吊り下げられている。
【００４９】
ポンプ２０の吐出口２１は、接続管２２を介して竪管２３の下端に接続されている。竪管２３の上端は、曲管２４を介して接続管２５の一端に接続されている。接続管２５の他端は、曲管２６を介して吐出配管１０４の下端に接続されている。なお、図面では、各配管の端部に設けられるフランジは省略し、簡略化して図示している。
【００５０】
このとき、接続管２５は、筒状部材１２０の内側から外側に配管穴１２１ａを通過している。配管穴１２１ａにおける密閉を向上させるために、接続管２５と配管穴１２１ａとの間に密閉部材又は密閉剤を配置してもよい。また、ポンプ２０、水位センサ４１、異常増水検知用のフロート４２は、それぞれ電気ケーブル５１、５２、５３に接続されており、これらの電気ケーブル５１、５２、５３が配線穴１２１ｂを通って筒状部材１２０の外部に接続されている。このとき、配線穴１２１ｂにおける密閉を向上させるために、電気ケーブル５１、５２、５３と配線穴１２１ｂとの間にグロメット等の密閉部材を配置することが好ましい。
【００５１】
流入配管１０１に接続される水槽（補助バレル）１０１０において、流入配管１０１は、曲管１０１ａ、接続管１０１ｂ、曲管１０１ｃ、流入口１０１ｄを介して筒状部材１２０の内側に導入される。接続管１０１ａは、配管穴１２１ａを通過する。この場合も、配管穴１２１ａにおける密閉を向上させるために、接続管１０１ｂと配管穴１２１ａとの間に密閉部材又は密閉剤を配置してもよい。
【００５２】
図４及び図５に示すように、筒状部材１２０の筒状の第１嵌合部１２０ｂを、筒状の水槽本体１１の内側に嵌合させる構成であるため、筒状部材１２０の第１嵌合部１２０ｂは、水槽本体１１に対して任意の回転方向の位置に調整した後に嵌合することができ、また、ボルト、ナット等の締結部材で固定する前であれば、筒状部材１２０の第１嵌合部１２０ｂは、水槽本体１１に嵌合した後であっても、水槽本体１１に対して回転して回転方向の位置を調整することができる。このため、図３に示すように、水槽本体１１に対して任意の回転位置で筒状部材１２０を取り付けることができるので、流入配管１０１に接続される接続管１０１ａの方向を所望の回転方向の位置に取り付けることができ、吐出配管１０４に接続される接続管２５の方向を所望の回転方向の位置に取り付けることができる。
また、水槽本体１１を固定した状態で、筒状部材１２０を水槽本体１１に対して回転することによって、流入配管１０１に接続される接続管１０１ａの方向を連続的に変更することができ、吐出配管１０４に接続される接続管２５の方向を連続的に変更することができる。図３に示した、回転方向位置Ｄ１〜Ｄ６は、一例である。
【００５３】
上記実施形態によれば、蓋１２２に設けられた第２嵌合部１２２ｂを筒状部材１２０に挿入することによって、蓋１２２が筒状部材１２０に取り付けられるので、蓋１２２と筒状部材１２０との間に配置するリングや、蓋１２２を保持するための特別な工具を必要としない。よって、蓋１２２の取り付けが容易である。
【００５４】
また、筒状部材１２０が水槽本体１１に嵌合し、かつ、蓋１２２を筒状部材１２０に嵌め込む構成であるので、水槽１０が密閉され、汚水等による臭いが水槽１０外に漏れることを効果的に抑制することができる。
【００５５】
また、水槽１０内にポンプが配置される場合には、ポンプ２０の起動時に、エア抜き穴から排水が勢いよく吐出したとしても、排水が水槽１０外に漏れることを抑制ないし防止することができる。
【００５６】
また、筒状部材１２０によって水槽１０の高さが実質的に延長されるので、筒状部材１２０の上端の位置がピットＰｉのマンホール穴により近くなり、マンホール穴からの作業が容易になる。
【００５７】
また、筒状部材１２０を水槽本体１１に嵌合させる構成であるので、既にピットＰｉ内に設置済みの水槽（筒状部材、蓋を持たないもの）であっても、蓋ユニット１２を取り付けることが可能である。従って、既存の水槽に対する臭気対策等にも有効である。
【００５８】
また、内部点検時には、蓋１２２を取り外して、水槽内部を目視することができる。
【００５９】
上記実施形態によれば、第２嵌合部１２２ｂを筒状部材１２０に遊嵌させるので、蓋１２２の取り付け及び取り外しが容易である。
【００６０】
上記実施形態によれば、蓋１２２に取っ手１２２ｃを設けているので、蓋１２２の保持および取り付けが更に容易になる。
【００６１】
上記実施形態によれば、蓋１２２と筒状部材１２０との間にパッキン１２２ｄを配置するので蓋１２２と筒状部材１２０との間の密閉が更に向上し、汚水等の臭いや、ポンプのエア抜き穴からの排水が水槽外に漏れることをより抑制することができる。
【００６２】
上記実施形態によれば、蓋本体１２２ａの第２嵌合部１２２ｂの外側で取付面にパッキン１２２ｄを設けているので、第２嵌合部１２２ｂを筒状部材１２０に遊嵌させても、蓋１２２と筒状部材１２０との密閉性を低下することを抑制ないし防止できる。
【００６３】
上記実施形態によれば、筒状部材１２０と水槽本体１１との間にパッキン１２０ｃが挟まれ、更に、筒状部材１２０と水槽本体１１とが締結部材６１、６２で固定されているので、筒状部材１２０と水槽本体１１との間の密閉を更に向上させることができる。
【００６４】
上記実施形態によれば、ボルトとナットとによって、筒状部材１２０と水槽本体１１とを簡易かつ強固に固定することができる。また、筒状部材１２０の取り付け、取り外しが容易である。
【００６５】
上記実施形態によれば、筒状部材１２０が水槽本体１１に内側から嵌合するので、筒状部材１２０が外側から嵌合する場合と比較して、筒状部材１２０が嵌合する部分で膨らむことを防止できる。従って、筒状部材１２０の最大径が水槽本体１１の径よりも大きくなることを防止できる。ピットのマンホール穴を通すように設計された水槽本体よりも径が大きい部分が生じることを防止できる。
【００６６】
上記実施形態によれば、筒状部材１２０の筒状の第１嵌合部１２０ｂを、筒状の水槽本体１１の内側に嵌合させる構成であるため、筒状部材１２０を任意の回転方向の位置で水槽本体１１に対して取り付けることができ、配管を接続するための配管穴１２１ａの方向を変えることができる。よって、水槽本体１１の向きを変えることなく、流入配管１０１や吐出配管１０４の位置に合わせて、配管穴の方向を変えることができる。また、配管穴１２１ａを水槽本体１１に設ける場合と比較して、配管穴１２１ａの位置がピットＰｉのマンホール穴１０２に近づくため、マンホール穴から配管へのアクセスが容易になる。
また、筒状部材２０に取り付けられる配管類は分解された状態で、ピットＰｉ内に搬入し、ピット内で組み立てることができる。
【００６７】
上記実施形態によれば、筒状部材１２０を任意の回転方向の位置で水槽本体１１に対して取り付けることができ、電気ケーブルを接続するための配線穴１２１ｂの方向を変える
ことができる。電気ケーブルをより短い長さで水槽内に引き込むことが可能になる。また、配線穴１２１ｂを水槽本体１１に設ける場合に比較して、配線穴１２１ｂの位置がピットＰｉのマンホール穴１０２に近づくため、マンホール穴から電気ケーブルへのアクセスが容易になる。
【００６８】
以上、いくつかの例に基づいて本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明には、その均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００６９】
Ａ…水中ポンプ
Ｂ…地階部分
Ｐｉ…ピット
１…水槽装置
８…ガイドサポート
９…ガイド
１０…水槽（メインバレル）
１０ａ…底壁
１０ｂ…側壁
１０ｃ…開口部
１１…水槽本体
１２…蓋ユニット
２０…ポンプ
２１…吐出口
２２…接続管
２３…竪管
２４…曲管
２５…接続管
２６…曲管
３０…連通管
４１…水位センサ
４２…フロート
５１，５２，５３…電気ケーブル
６０…バレル台
６１…ボルト
６２…ナット
８０…公共下水道管
９１、９３…汚水ます
１００…建築物
１０１…流入管
１０１ａ…曲管
１０１ｂ…接続管
１０１ｃ…曲管
１０１ｄ…流入口
１０２…マンホール
１０３…マンホール蓋
１０４…吐出配管
１０５…床面
１２０…筒状部材
１２０ａ…筒状本体
１２０ｂ…嵌合部
１２１ａ…配管穴
１２１ｂ…配線穴
１２０ｃ…パッキン
１２２…蓋
１２２ａ…蓋本体
１２２ｂ…嵌合部
１２２ｃ…取っ手
１２２ｄ…パッキン
１０１０…水槽（補助バレル）
【図１】
2018066122.tif 000003
【図２】
2018066122.tif 000004
【図３】
2018066122.tif 000005
【図４】
2018066122.tif 000006
【図５】
2018066122.tif 000007
【図６】
2018066122.tif 000008
【図７】
2018066122.tif 000009
【図８】
2018066122.tif 000010